(57)【要約】      （修正有）【課題】密封式結束ケーブルコネクタの提供。【解決手段】コネクタ１、該コネクタ内部に配置されたブシュ２、及び該コネクタと組み合わされる緊迫部品３で構成され、該ブシュは中空体とされ、閉合端と開放端を具え、該閉合端に切り裂き線の包囲によりケーブルに突き破られる薄膜層２１ｂが形成され、ケーブルがこのブシュを通過する時、該ケーブル内部の芯線が閉合端の薄膜層に圧接し、該薄膜層が切り裂き線２１ａにより閉合端より離脱して薄膜環２１ｃを保留し、ケーブルの通過する孔を形成し、且つ孔の内径がケーブル外部の被覆体より小さく、これによりケーブルが通過する時、ケーブルの表面を緊密に被覆し、全体として防水、防塵を構成し及び設備システムの虫の進入による破壊を防止する。【選択図】図３
0003114715.tif 000002
【実用新案登録請求の範囲】
【請求項１】
コネクタ、該コネクタ内部に配置されたブシュ、及び該コネクタと組み合わされる緊迫部品で構成された密封式結束ケーブルコネクタにおいて、
該ブシュが中空体とされると共に、閉合端と開放端を具え、該閉合端が防水、防塵を構成し及び設備システムの虫の進入による破壊を防止する機能を具えたことを特徴とする、密封式結束ケーブルコネクタ。
【請求項２】
請求項１記載の密封式結束ケーブルコネクタにおいて、ブシュがゴム材料で形成されたことを特徴とする、密封式結束ケーブルコネクタ。
【請求項３】
請求項１記載の密封式結束ケーブルコネクタにおいて、ブシュの閉合端が破壊可能な閉合端とされたことを特徴とする、密封式結束ケーブルコネクタ。
【請求項４】
請求項１記載の密封式結束ケーブルコネクタにおいて、ブシュの閉合端が薄膜層とされたことを特徴とする、密封式結束ケーブルコネクタ。
【請求項５】
請求項１乃至３のいずれかに記載の密封式結束ケーブルコネクタにおいて、ブシュの閉合端が切り裂き線を具えたことを特徴とする、密封式結束ケーブルコネクタ。
【請求項６】
請求項１又は請求項４に記載の密封式結束ケーブルコネクタにおいて、ブシュと閉合端の薄膜層の間に薄膜環が包含されて該薄膜環によりブシュと薄膜が連結され、該薄膜環がケーブル表面を被覆して防水、防塵を構成し及び設備システムの虫の進入による破壊を防止することを特徴とする、密封式結束ケーブルコネクタ。
【請求項７】
コネクタ、該コネクタ内部に配置されたブシュ、及び該コネクタと組み合わされる緊迫部品で構成された密封式結束ケーブルコネクタにおいて、
該ブシュが中空体とされると共に、閉合端と開放端を具え、該閉合端に少なくとも一本の切り裂き線が形成され、ケーブルが該閉合端を通過する時、閉合端の切り裂き線が破裂して破裂した閉合端がケーブル表面を被覆し、防水、防塵を構成し及び設備システムの虫の進入による破壊を防止することを特徴とする、密封式結束ケーブルコネクタ。
【考案の詳細な説明】
【技術分野】
【０００１】
本考案は一種の密封式結束ケーブルコネクタに係り、特にケーブルの滑動、離脱を防止し、防水、防塵を構成し及び設備システムの虫の進入による破壊を防止する機能を具え、設備システムの安全を確保する密封式結束ケーブルコネクタに関する。
【背景技術】
【０００２】
周知のとおり、現在市場で使用されているケーブル固定ヘッドの構造は、図１に示されるようであり、コネクタ、該コネクタに組み合わされる緊迫部品、該コネクタと緊迫部品の間に配置された挟持部品、及び該挟持部品内部にブシュで構成されている。
【０００３】
上述のブシュは両端が開放状態を呈する設計とされ、ケーブルがケーブルコネクタ内部に未挿入の時、該ケーブルコネクタ内部と外部は連通状態を形成し、このため外部環境中に存在する水、水蒸気、灰塵、及び虫が設備システム中に進入しやすく、システム内部の電気装置を破壊する。
【０００４】
図２に示されるのは別の周知のケーブル固定ヘッドであり、それは、緊迫部品の出口部分に防塵カバーが設けられ、防塵作用を有してはいるが、水分のシステム中への進入を防止できず、且つ防塵カバーは運輸過程中に脱落しやすく、防水、防塵及び電気設備中への虫の進入を防止できない。
【考案の開示】
【考案が解決しようとする課題】
【０００５】
本考案の主要な目的は、上述の欠点を解決し、欠点の存在を回避することにあり、即ち、本考案は、ブシュの設計が改善され、ケーブルコネクタがケーブルと組み合わされる前に、コネクタ内部に配置されたブシュがケーブルにより突き破られず、これにより防水、防塵及び防虫の機能を具備し、ケーブルとコネクタが組み合わされる時、ケーブルがブシュを突き破ると、突き破られた材料が緊密にケーブル表面を被覆し、更にコネクタがもともと有している緊迫挟持の設計により、ケーブルが滑動、離脱しにくく、防水、防塵及び設備システムへの虫の進入による破壊防止の機能を達成し、設備システムの安全を確保するケーブルコネクタであるものとする。
【０００６】
上述の目的を達成するため、本考案はもとのケーブルコネクタに使用されているブシュを中空体に設計し、それに閉合端と開放端を具備させ、前述の閉合端に切り裂き線を形成し、該切り裂き線で包囲してケーブルに突き破られる薄膜層を形成し、ケーブルがこのブシュを通る時、該ケーブル内部の芯線が閉合端の薄膜層に圧接し、該薄膜層が切り裂き線により閉合端より離脱して薄膜環を遺留し、ケーブルの通過に供する孔を形成し、且つ孔の内径がケーブル外部の被覆体より小さく、これによりケーブル通過時に緊密にケーブルの表面を被覆するものとする。
【課題を解決するための手段】
【０００７】
請求項１の考案は、コネクタ、該コネクタ内部に配置されたブシュ、及び該コネクタと組み合わされる緊迫部品で構成された密封式結束ケーブルコネクタにおいて、
該ブシュが中空体とされると共に、閉合端と開放端を具え、該閉合端が防水、防塵を構成し及び設備システムの虫の進入による破壊を防止する機能を具えたことを特徴とする、密封式結束ケーブルコネクタとしている。
請求項２の考案は、請求項１記載の密封式結束ケーブルコネクタにおいて、ブシュがゴム材料で形成されたことを特徴とする、密封式結束ケーブルコネクタとしている。
請求項３の考案は、請求項１記載の密封式結束ケーブルコネクタにおいて、ブシュの閉合端が破壊可能な閉合端とされたことを特徴とする、密封式結束ケーブルコネクタとしている。
請求項４の考案は、請求項１記載の密封式結束ケーブルコネクタにおいて、ブシュの閉合端が薄膜層とされたことを特徴とする、密封式結束ケーブルコネクタとしている。
請求項５の考案は、請求項１乃至３のいずれかに記載の密封式結束ケーブルコネクタにおいて、ブシュの閉合端が切り裂き線を具えたことを特徴とする、密封式結束ケーブルコネクタとしている。
請求項６の考案は、請求項１又は請求項４に記載の密封式結束ケーブルコネクタにおいて、ブシュと閉合端の薄膜層の間に薄膜環が包含されて該薄膜環によりブシュと薄膜が連結され、該薄膜環がケーブル表面を被覆して防水、防塵を構成し及び設備システムの虫の進入による破壊を防止することを特徴とする、密封式結束ケーブルコネクタとしている。
請求項７の考案は、コネクタ、該コネクタ内部に配置されたブシュ、及び該コネクタと組み合わされる緊迫部品で構成された密封式結束ケーブルコネクタにおいて、
該ブシュが中空体とされると共に、閉合端と開放端を具え、該閉合端に少なくとも一本の切り裂き線が形成され、ケーブルが該閉合端を通過する時、閉合端の切り裂き線が破裂して破裂した閉合端がケーブル表面を被覆し、防水、防塵を構成し及び設備システムの虫の進入による破壊を防止することを特徴とする、密封式結束ケーブルコネクタとしている
【考案の効果】
【０００８】
本考案は一種の密封式結束ケーブルコネクタを提供し、それは、コネクタ、該コネクタ内部に配置されたブシュ、及び該コネクタと組み合わされる緊迫部品で構成され、該ブシュは中空体とされ、閉合端と開放端を具え、該閉合端に切り裂き線の包囲によりケーブルに突き破られる薄膜層が形成され、ケーブルがこのブシュを通過する時、該ケーブル内部の芯線が閉合端の薄膜層に圧接し、該薄膜層が切り裂き線により閉合端より離脱して薄膜環を保留し、ケーブルの通過する孔を形成し、且つ孔の内径がケーブル外部の被覆体より小さく、これによりケーブルが通過する時、ケーブルの表面を緊密に被覆し、全体として防水、防塵を構成し及び設備システムの虫の進入による破壊を防止する。
【考案を実施するための最良の形態】
【０００９】
図３、４は本考案の密封式結束ケーブルコネクタの分解図及び立体組合せ外観図である。図示されるように、本考案の密封式結束ケーブルコネクタは、コネクタ１、該コネクタ１内部に配置されたブシュ２、及び該コネクタ１と組み合わされる緊迫部品３で構成され、防水、防塵、及び防虫の機能を具えたケーブルコネクタとされる。
【００１０】
上述のコネクタ１は中空の本体１１を具え、該本体１１に当接部１２が設けられ、該当接部１２の前後の本体１１にネジ山面を具えた接合部１３、１４があり、一方の接合部１３にワッシャ１５とナット形態のネジ部品１６が組み合わされて、間仕切り或いは壁に固定される。別にもう一方の接合部１４の前端に弾性を具えた複数の挟持片１７が接続され、各挟持片１７に係止部１７１があり（図５）、この挟持片１７が緊迫部品３内部の押圧を受けた後、挟持片１７の係止部１７１がブシュ２を係止する。
【００１１】
該ブシュ２はゴム材料で形成された中空体であり、複数の挟持片１７内に配置され、該ブシュ２は閉合端２１と開放端２２を具え、該閉合端２１と開放端２２のブシュ２表面に挟持片１７の係止ブシュ１７１による係止に供される凹部２３が形成されている。また、前述の閉合端２１に切り裂き線２１ａが設けられ、該切り裂き線２１ａの包囲によりケーブル４２により突き破られる薄膜層２１ｂが形成され、ケーブル４がこのブシュ２を通過する時、ケーブル４内部の芯線が閉合端２１の薄膜層２１ｂに圧接し、該薄膜層２１ｂが切り裂き線２１ａにより閉合端２１より離脱し、薄膜環２１ｃを遺留する。
【００１２】
該緊迫部品３は中空体とされ、その内部にネジ山面を呈して上述の接合部１４と螺合される嵌合部３１及び出口３２が設けられ、該嵌合部３１と出口３２の間に斜面状態を呈する押圧面３３（図５）が形成され、この押圧面３３が上述の挟持片１７を強制的に内縮状態となしてブシュ２に対する挟持圧迫を形成させる。
【００１３】
上述の組合せにより、防水、防塵及び虫の進入による設備システムの破壊を防止するケーブルコネクタが形成される。
【００１４】
図５から図６は図４の断面動作表示図である。図示されるように、本考案のコネクタ１、ブシュ２及び緊迫部品３の組合せが完成してケーブル４が未挿入の時、該ブシュ２の閉合端２１は完全閉合状態を呈し、防水、防塵を構成し及び設備システムの虫の進入による破壊を防止する機能を具備する。
【００１５】
ケーブル４がコネクタ１とブシュ２に通される時、ケーブル４の芯線が閉合端２１の薄膜層２１ｂに圧接し、薄膜層２１ｂが切り裂き線２１ａにより閉合端２１より離脱し、薄膜環２１ｃが遺留され、ケーブル４が通過する孔が形成され、孔の内径はケーブル４外部の被覆体より小さく、これによりケーブル４が通過する時、薄膜環２１ｃが緊密にケーブル４の表面を被覆する。この時、緊迫部品３内部の嵌合部３１と本体１１の接合部１４が螺合される時、緊迫部品３内部の押圧面３３が挟持片１７を押圧し、挟持片１７の内径を縮小させ、挟持片１７の係止部１７１をブシュ２に圧接、係合させ、更にブシュ２にケーブル４を緊迫挟持させ、ケーブル４の滑動、離脱を防止する。
【００１６】
組立後、ブシュ２の閉合端２１の薄膜環２１ｃが緊密にケーブル４表面を被覆し、防水、防塵を構成し及び設備システムの虫の進入による破壊を防止する機能を達成し、設備システムの安全を確保する。
【００１７】
図７は本考案の別の実施例表示図である。本実施例のブシュ２の閉合端２１は薄膜状態に形成されるほか、閉合端２１に複数の切り裂き線２１ａが形成され、ケーブル４がブシュ２の閉合端２１を通過する時、閉合端２１が切り裂き線２１ａに沿って破裂し、ケーブル４を通過させ、ケーブル４通過後に、切り裂かれた閉合端２１材料がケーブル４表面を被覆し、緊迫部品３とコネクタ１の組合せ後に、防水、防塵を構成し及び設備システムの虫の進入による破壊を防止する機能を達成し、設備システムの安全を確保する。
【００１８】
以上の実施例は本考案の実施範囲を限定するものではなく、本考案に基づきなしうる細部の修飾或いは改変は、いずれも本考案の請求範囲に属するものとする。
【図面の簡単な説明】
【００１９】
【図１】周知のケーブル固定ヘッド構造の分解図である。
【図２】別の周知のケーブル固定ヘッド構造の分解図である。
【図３】本考案の密封式結束ケーブルコネクタの分解図である。
【図４】図３の立体組合せ外観図である。
【図５】図４の断面動作表示図である。
【図６】図４の断面動作表示図である。
【図７】本考案の別の実施例表示図である。
【符号の説明】
【００２０】
１  コネクタ                  １１  本体
１２  当接部                  １３、１４  接合部
１５  ワッシャ                １６  ネジ部品
１７  挟持片                  １７１  係止部
２  ブシュ                    ２１  閉合端
２２  開放端                  ２３  凹部
４  ケーブル                  ３  緊迫部品
３１  嵌合部                  ３２  出口
３３  押圧面                  ２１ａ  切り裂き線
２１ｂ  薄膜層                ２１ｃ  薄膜環
【図１】
0003114715.tif 000003
【図２】
0003114715.tif 000004
【図３】
0003114715.tif 000005
【図４】
0003114715.tif 000006
【図５】
0003114715.tif 000007
【図６】
0003114715.tif 000008
【図７】
0003114715.tif 000009